(57)【要約】【課題】加湿装置においてフィルタに付着したスケール除去の作業性の向上を目的とする。【解決手段】加湿フィルタ２４と、加湿フィルタ２４に給水させる水を貯水する貯水部２７と、加湿フィルタ２４と接触する接触部材２９を貯水部２７に備え、貯水部２７の取り付けおよび取り外しの動作にともない、加湿フィルタ２４の少なくとも一部の表面が接触部材２７に摺接するようにすることにより、貯水部２７を本体１１に取り付けおよび取り外しの動作をすることに連動して接触部材２７と加湿フィルタ２４表面が摺接し、加湿フィルタの表面に付着したスケールや水垢などの固形物を貯水部中に剥落させることができ、加湿フィルタのメンテナンスを容易に行うことができる。【選択図】図２
2012007745.tif 000002
【特許請求の範囲】
【請求項１】
本体表面に開口された吸気口と吹出口とを連通する風路と、
前記風路の途中に配置され空気を送風する送風機と、
前記送風機で送風された空気を加熱するヒータと、
前記ヒータで加熱された温風を加湿する加湿フィルタと、
前記加湿フィルタに給水させる水を貯水する貯水部と、を含み、
前記貯水部は、前記加湿フィルタと接触する接触部材を備えるとともに、前記本体に取り付けおよび取り外しが自在な構成と、
前記貯水部を前記本体に取り付けられた状態で、前記加湿フィルタの一部が前記貯水部に貯水した水中に水没し、前記加湿フィルタ全体に給水される構成とし、
前記貯水部の取り付けおよび取り外しの動作にともない、前記加湿フィルタの少なくとも一部の表面が前記接触部材に摺接することを特徴とする、
加湿装置。
【請求項２】
前記加湿フィルタは回動機構を備え、
前記貯水部の取り付けおよび取り外しの動作にともない、前記加湿フィルタが回動することにより、前記加湿フィルタが前記接触部材と摺接する、
請求項１に記載の加湿装置。
【請求項３】
前記回動機構は、前記貯水部を収納する前記本体の内壁にラックを設け、前記加湿フィルタの回動軸にピニオンギアを設け、前記ラックと前記ピニオンギアを噛合させた構成とし、
前記貯水部の取り付けおよび取り外しの動作にともない、前記加湿フィルタを回動させる、
請求項２に記載の加湿装置。
【請求項４】
前記貯水部の底部に前記接触部材に沿って凹陥部を設けた、
請求項１〜３のいずれか１項に記載の加湿装置。
【請求項５】
前記接触部材は前記貯水部の底部に立設し、前記接触部材の基部に開口を設けた、
請求項１から４のいずれか１項に記載の加湿装置。
【請求項６】
請求項１〜５のいずれか１項に記載の加湿装置と、
前記風路のヒータの下流側に、前記加湿フィルタを通過させずに吹出口に直接連通する温風風路と、
前記温風風路の分岐点に、前記加湿フィルタ側および前記温風風路側のいずれか一方または両方に温風を選択的に送風するダンパと、
前記ダンパの操作を行う操作手段を備え、
前記、ダンパの操作により、温風と加湿温風と加湿空気の吹き出しが選択可能な、
温風機。
【発明の詳細な説明】
【技術分野】
【０００１】
本発明は、気化式の加湿装置に関する。
【背景技術】
【０００２】
従来、この種の加湿装置は、本体内部に備えた送風ファンで送風した空気を加熱手段で加熱し、加熱された温風を給水した気化フィルタへ吹き付けて加湿温風とする構成である。このような構成の場合、気化フィルタの表面では水分のみが蒸発し、水に含まれるカルキや石灰質等のスケールが気化フィルタの表面に固着し、継続使用すると気化フィルタの目詰まりが発生して加湿性能が低下する。そのため、気化フィルタの表面に固着したスケールを取り除くために、使用中は常に気化フィルタを可動させるとともに、気化フィルタの表面に接触する清掃部材を設置し、気化フィルタが可動することによりスケールを掻き落とすようにしている。（例えば、特許文献１参照）
図７は、特許文献１に記載された従来の加湿装置の横断面図を示すものである。図７に示すように、本体１の側面には吸引口２が、前面には吹出口３が設置されている。本体１の内部には送風ファン４と、加熱手段５と、気化フィルタ６と、清掃部材７と、水タンク８が設置されている。気化フィルタ６は円盤状で回動軸６ａを中心として駆動手段（図示せず）により、加湿装置の運転中は常時回動を継続する。清掃部材７は円筒状であり、その周囲にはブラシ部材７ａが備えられており、気化フィルタ６の表面に密接するように配設されている。気清掃部材７はギア９を介して気化フィルタ６の回動にともなって回転することにより、気化フィルタ６の表面に付着したスケールを掻き落とす構成となっている。
【先行技術文献】
【特許文献】
【０００３】
【特許文献１】特開２００９−２１６２７３号公報
【発明の概要】
【発明が解決しようとする課題】
【０００４】
しかし、前記従来の構成では、加湿装置の運転中は気化フィルタと清掃部材は常時接触させて摩擦力を発生させている状態を継続させており、摩擦力により気化フィルタと清掃部材双方の摩耗や劣化が促進されるとともに、気化フィルタと清掃部材を継続して接触させることにより、気化フィルタの表面から掻き落としたスケールが再び気化フィルタの内部に押し込められることにより気化フィルタの目詰まりを促進する要素が含まれることが推察される。また、気化フィルタと清掃部材を常時駆動するために余分な電気エネルギーを消費するとともに不快な駆動音が常時発生することが推察され、耐久性、使い勝手、省エネルギー性という観点から未だ改良の余地があった。
【０００５】
本発明は、上記従来技術の有する課題に鑑みてなされたものであり、気化フィルタの高寿命化を図って、加湿性能のよい状態で長期にわたって使用できるとともに、使用中の不快な駆動音を低減するとともに、省エネルギーの高い加湿装置を提供することを目的とする。
【課題を解決するための手段】
【０００６】
前記従来の課題を解決するために、本発明の加湿装置は、本体表面に開口された吸気口と吹出口とを連通する風路と、風路の途中に配置され空気を送風する送風機と、送風機で送風された空気を加熱するヒータと、ヒータで加熱された温風を加湿する加湿フィルタと、加湿フィルタに給水させる水を貯水する貯水部とを含み、貯水部は加湿フィルタと接触
する接触部材を備えるとともに本体に取り付けおよび取り外しが自在な構成と、貯水部を本体に取り付けられた状態で、加湿フィルタの一部が貯水部に貯水した水中に水没し、加湿フィルタ全体に給水される構成とし、貯水部の取り付けおよび取り外しの動作にともない、加湿フィルタの少なくとも一部の表面が接触部材に摺接するようにした加湿装置である。
【０００７】
これよって、貯水部を本体に取り付けおよび取り外しの動作をすることに連動して接触部材が加湿フィルタ表面をこするように動作することで、加湿フィルタの表面に付着したスケールや水垢などの固形物を貯水部中に剥落させることができ、加湿フィルタの吸水および加湿性能を長期間維持することができる。しかも使用者は直接フィルタに触れることなく加湿フィルタのメンテナンスができるため衛生的である。
【発明の効果】
【０００８】
本発明加湿装置は、加湿フィルタの吸水および加湿性能を長期間に亘り維持することができる。
【図面の簡単な説明】
【０００９】
【図１】本発明の実施の形態１における温風機の外観を示す斜視図
【図２】図１におけるＡＡ断面図
【図３】図１におけるＢＢ断面図
【図４】本発明の実施の形態１における温風機の背面の外観を示す斜視図
【図５】本発明の実施の形態１における加湿トレーの斜視図
【図６】加湿トレーに加湿フィルタを装着した状態の斜視図
【図７】従来の加湿装置を示す断面図
【発明を実施するための形態】
【００１０】
第１の発明は、本体表面に開口された吸気口と吹出口とを連通する風路と、前記風路の途中に配置され空気を送風する送風機と、前記送風機で送風された空気を加熱するヒータと、前記ヒータで加熱された温風を加湿する加湿フィルタと、前記加湿フィルタに給水させる水を貯水する貯水部とを含み、前記貯水部は、前記加湿フィルタと接触する接触部材を備えるとともに、前記本体に取り付けおよび取り外しが自在な構成と、前記貯水部を前記本体に取り付けられた状態で、前記加湿フィルタの一部が前記貯水部に貯水した水中に水没し、前記加湿フィルタ全体に給水される構成とし、前記貯水部の取り付けおよび取り外しの動作にともない、前記加湿フィルタの少なくとも一部の表面が前記接触部材に摺接するようにした加湿装置である。
【００１１】
これよって、貯水部を本体に取り付けおよび取り外しの動作をすることに連動して接触部材が加湿フィルタ表面をこするように動作することで、加湿フィルタの表面に付着したスケールや水垢などの固形物を貯水部中に剥落させることができ、加湿フィルタの吸水および加湿性能を長期間維持することができる。しかも使用者は直接フィルタに触れることなく加湿フィルタのメンテナンスができるため衛生的である。
【００１２】
また、貯水部へ落下したスケール等は貯水部の底部が沈殿、堆積され、加湿フィルタに再付着することがない。
【００１３】
また、加湿フィルタは使用中に常時摩擦力を受けることがないため、摩耗や劣化を抑制することができるので長期間安定した加湿性能を得ることができる。
【００１４】
第２の発明は、特に、第１の発明において、前記加湿フィルタは回動機構を備え、前記貯水部の取り付けおよび取り外しの動作にともない、前記加湿フィルタが回動することに
より、前記加湿フィルタが前記接触部材と摺接するようにしたものである。
【００１５】
加湿フィルタを回動させることで、加湿フィルタの周面と接触部材との摺接が行われるので、加湿フィルタの広範囲にわたる表面の付着物を、取り付けおよび取り外しの動作により剥落させることが可能となる。
【００１６】
第３の発明は、特に、第２の発明において、前記回動機構は、前記貯水部を収納する前記本体の内壁にラックを設け、前記加湿フィルタの回動軸にピニオンギアを設け、前記ラックと前記ピニオンギアを噛合させた構成とし、前記貯水部の取り付けおよび取り外しの動作にともない、前記加湿フィルタを回動させるものである。
【００１７】
これにより、１回の取り付けおよび取り外しの動作において、加湿フィルタの回転数を多く確保することが可能となり、加湿フィルタのより広範囲のスケールを確実に剥落させることができるとともに、ラックが取り付けおよび取り外しの動作のガイドとして作用するため、取り付けおよび取り外しの作業を容易に行うことができる。
【００１８】
第４の発明は、特に、第１〜第３のいずれか１つの発明において、前記貯水部の底部に前記接触部材に沿って凹陥部を設けたものである。
【００１９】
これによって、接触部材によって、剥落されたスケールは凹部に堆積させることができ、堆積物の加湿フィルタへの再付着を抑制することができる。
【００２０】
第５の発明は、特に第１〜第４のいずれか１つの発明において、前記接触部材は前記貯水部の底部に立設し、前記接触部材の基部に開口を設けたものである。
【００２１】
これにより、貯水部において開口部を介して貯水の行き来があり、さらに落下したスケールで貯水部が分断されることなく水位を同じくすることが可能となる。
【００２２】
第６の発明は、第１〜５のいずれか１との加湿装置と、前記風路のヒータの下流側に、前記加湿フィルタを通過させずに吹出口に直接連通する温風風路と、前記温風風路の分岐点に、前記加湿フィルタ側および前記温風風路側のいずれか一方または両方に温風を選択的に送風するダンパと、前記ダンパの操作を行う操作手段を備え、前記、ダンパの操作により、温風と加湿温風と加湿空気の吹き出しが選択可能とした温風機である。
【００２３】
これにより、本発明の温風機は、１台で、加湿を伴わない温風と、加湿成分は少ないが適度に昇温された加湿温風と、加湿成分が多く温度の上昇が低い加湿空気とを、選択的吹き出すことができ、使用範囲が広く使い勝手のよい温風機を提供することができる。
【００２４】
以下、本発明の実施の形態について、図面を参照しながら説明する。なお、本実施意の形態によって、本発明が限定されるものではない。
【００２５】
（実施の形態１）
図１は本実施の形態における温風機の外観を示す斜視図であり、図２は図１に示すＡＡ断面図を示し、図３は図１に示すＢＢ断面図を示し、図４は温風機の本体から加湿トレーを外した状態の背面を示す斜視図である。
【００２６】
＜１＞温風機の構成
図１に示すように、温風機１０の本体１１の上面には操作部１２が、背面には吸気口１３が、前面には吹出口１４が設けられており、図２に示すように本体１１内には吸気口１３から吹出口１４まで風路１５が連通している。風路１５には、吸気口１３に近い最も上
流側には送風機１６が配置されており吸気口１３から吸引した外気を風路１５に送風する。
【００２７】
送風機１６の下流にはヒータ１７が配置されている。ヒータ１７は全体で１２００Ｗの容量であるが、全体を２分割した構成であり、低容量の加熱を行うときは、その半分にのみに通電することで６００Ｗの容量で加熱することができる。
【００２８】
ヒータ１７の下流で風路１５は２本に分岐しており、一方は吹出口１４に直接連通する温風風路１８と、他方は加湿部１９を介して吹出口１４に連通する加湿風路２０が形成されている。
【００２９】
風路１５の分岐点にはダンパ２１が設置されており、ダンパ２１はタイミングモータとギアとクランク等で構成された駆動機構を備えており、ヒータ１７で加熱された温風を、温風風路１８と加湿風路２０のいずれか一方、または温風風路１８と加湿風路１９の両方に送風することを操作部１２の操作で選択的に切り替えることができる。
【００３０】
図２に示すようにダンパ２１が中立の位置Ｃの場合、温風は温風風路１８と加湿風路２０の両方に同時に送風され、ダンパ２１が加湿風路２０を閉じる位置Ｄに切り替えられた場合は、温風風路１８にのみ温風が送風され、ダンパ２１が温風風路１８を閉じる位置Ｅに切り替えられた場合は、加湿風路２０にのみ温風が送風される。
【００３１】
操作部には温風機１０の運転の開始と停止を行う「ＯＮ」、「ＯＦＦ」の運転スイッチと、運転のモードを選択する選択スイッチが設けられている。選択するモードにより温風に含まれる湿度と温度が異なっており、「温風」と「加湿温風」と「加湿」の３モードが設定されている。
【００３２】
なお、本実施の形態における温風機１０は、加湿風路２０とは別に温風風路１８を設けるとともに、風路を切り替えるダンパ２１と切り替え操作を行う選択スイッチとを設け、「温風」と「加湿温風」「加湿」が選択できる構成としたが、これに限るものではなく、例えば、風路は加湿風路２０のみとし、ダンパ２１および選択スイッチを設けない構成も可能であり、このように送風機１６による送風が全て加湿部１９に供給されるものを加湿装置と定義する。
【００３３】
＜２＞加湿部の構成
図５は本発明の実施の形態１における加湿トレーの斜視図を示し、図６は加湿トレーに加湿フィルタを装着した状態の斜視図を示すものである。
【００３４】
図２および図３に示すように、加湿部１９は、加湿に使用する水を貯溜する水タンク２２と、水タンク２２から流出した水を貯水する加湿トレー２３と、水を気化させる加湿フィルタ２４とを主構成部材として構成されている。
【００３５】
水タンク２２は半透明の樹脂材料で成型されており容量約３リットルのボトル形状であり、水タンク２２の蓋２２ａには、ばねの付勢力により自動的に閉止される閉止栓２２ｂが設けられており、水タンク２２が加湿トレー２３の所定位置にセットされた場合に閉止栓２２ｂが自動的に開放され、水タンク２２内の水が加湿トレー２３に供給される。水タンク２２は本体１１の上面に設けられたタンク蓋２５を開いて本体１１内に取り付けおよび取り出しを行うことができる。
【００３６】
加湿トレー２３は水タンク２２のからの水を受ける水受部２６と加湿フィルタ２４に供給する水を貯水する貯水部２７で構成されている。水受部２６は略円形の凹陥形状であり
、その中央には円形の突起部が形成されており、水タンク２２の閉止栓２２ｂが突起部に当接することにより、閉止栓２２ｂが開放される構成となっている。
【００３７】
貯水部２７は平面略長方形の箱状に形成されており、貯水部２７の底部中央には略全幅に亘って溝状の凹陥部２８が形成されている。そして溝の略中央には上方に向けて突起したリブ状の接触部材２９が一体に成型されている。また、リブ状の接触部材の基部には略長方形の開口２９ａが形成されている。また、貯水部の両側壁の略中央にはＵ字型の溝形状の軸受溝３０が形成されている。
【００３８】
加湿トレー２３の水受部２６と貯水部２７は連通溝３１で連通しており、水受部２６で水タンク２２より入水した水は連通溝３１を介して貯水部２７に供給され、一定の水位で維持される。
【００３９】
加湿フィルタ２４は樹脂材料で成型した略円筒形状のフィルタケース３２と、フィルタケース３２の外周に巻装したフィルタ材３３で構成されている。フィルタケース３２は網目状に形成されており、その内外が通風可能な構成となっており、その両端面から突出する回転軸３４が設けられている。一方の端面から突出した回転軸３４にはピニオンギア３５が設置されている。フィルタ材３３は樹脂繊維の不織布を円筒状に形成した吸水性能および耐熱性の優れたものであり、フィルタケース３２の外周面に密着固定されている。
【００４０】
図６に示すように、加湿フィルタ２４は加湿トレー２３の貯水部２７に設置することができ、加湿フィルタ２４の回転軸３４を軸受溝３０に上方から挿入することで所定の位置に設置することができる。その状態で回転軸３４のピニオンギア３５は貯水部の外側に配置されている。
【００４１】
また、図２および図３に示すように、加湿フィルタ２４が貯水部２７の所定の位置に配置された状態で、加湿フィルタ２３の下端部は貯水部２７の接触部材２９に当接している。加湿フィルタ２３と接触部材２９が当接した状態においても、接触部材２９の基部に設けた開口２９ａを介して水は移動することができるので、貯水部２７全体の水位は常に一定に保たれる。
【００４２】
図４に示すように、温風機１０の本体１１下部には加湿トレー２３を収容する収容スペース３６が形成されており、本体背面の開口より収容することができる。収容スペース３６の側面には前後方向にラック３７が形成されており、加湿トレー２３を収容するときは、加湿フィルタ２４のピニオンギア３５とラック３７が噛合するようになっている。そのため、加湿トレー２３を本体１１に取り付けおよび取り外しを行う時は、ピニオンギア３５とラック３７の噛合により加湿フィルタ２４が回転することとなる。そして、貯水部２７の接触部材２９に当接している加湿フィルタ２４の下端部は接触部材２９と摺接させながら回転する構成となっている。
【００４３】
＜３＞温風機の動作、作用
以上のように構成された温風機について、以下その動作、作用を説明する。
【００４４】
温風機１０を使用する場合、準備作業として、加湿フィルタ２４を貯水部２７の軸受溝３０にセットした状態の加湿トレー２３を、本体１１の収容スペース３６に収容し、水を充填した水タンク２２を本体１１上面のタンク蓋２５を開いて本体１１内に収容する。準備作業完了状態において、水タンク２２の水は加湿トレー２３の水受部２６に流出し、連通溝３１を介して貯水部２７に流入し、所定の水位に達したら停止する。この状態で加湿フィルタ２４の下側の約１／３は水没した状態になり、毛細管現象によりフィルタ材３３全体が吸水状態となる。
【００４５】
温風機１０の運転を開始する場合、まず操作部１２の選択スイッチで「温風」、「加湿温風」、「加湿」のいずれかの運転モードを選択し、運転スイッチで「ＯＮ」の操作をすることによりの温風機１０の運転が開始される。
【００４６】
「温風」が選択されている場合、ダンパ２１は加湿風路２０を閉じる位置Ｄに停止し、温風は温風風路１８のみに供給され直接吹出口１４から吹き出す。この場合、ヒータ１７は１２００Ｗの容量で通電されるため、吹き出す温風は高温で乾燥した状態のものであり、このモードは短時間に部屋を暖房する場合や、乾燥を目的とした使用に適している。
【００４７】
「加湿温風」が選択されている場合、ダンパ２１は中立の位置Ｃに停止し、温風は温風風路１８と加湿風路２０の両方に送風され、温風風路１８を通過した高温で乾燥した温風と、加湿風路２０を通過し加湿部１９で加湿された加湿空気が吹出口１４の手前で混合され、適度に加湿され、しかも適度な温風が吹出口１４から吹き出す。
【００４８】
加湿風路２０に送風された温風は加湿フィルタ２４の表面からフィルタケース３２の内部に流入し、フィルタケース３２の内部から再び外部に流出することにより、吸水状態のフィルタ材３３を２度通過し、その間に加湿される。このモードの場合、ヒータ１７は１２００Ｗの容量で通電される。このモードは長時間に亘り部屋を快適に暖房する場合に最も適したモードである。
【００４９】
「加湿」が選択されている場合、ダンパ２１は温風風路１８を閉じる位置Ｅに停止し、温風は加湿風路２０にのみ供給され、加湿部１９で加湿された加湿空気のみが吹出口１４から吹き出す。この場合、ヒータ１７は６００Ｗの容量で通電され、供給された温風の熱は加湿における気化作用に多くが消費されるため吹き出す加湿空気の温度は他の設定の場合より大幅に低い温度である。このモードは部屋の温度をあまり変えずに加湿のみを行うことができ、植物や木製品の保存、またはエアコンディショナー等の他の暖房機器具や冷房器具と組み合わせて使用する場合に適している。
【００５０】
運転を停止する場合は、運転スイッチを「ＯＦＦ」操作することにより、温風機１０の運転が停止する。
【００５１】
運転停止の状態で、水タンク２２の水の補充や加湿フィルタ２４のメンテナンス等を実施することができる。加湿フィルタ２４のメンテナンスは、水タンク２２を本体１１から取り外した状態で、加湿トレー２３を本体１１から引き出して取り外す。加湿トレー２３を引き出す際に加湿フィルタ２４のピニオンギア３５が本体１１に設置したラック３７と噛合した状態で移動するため、ピニオンギア３５が回転するのに伴って加湿フィルタ２４全体が回転する。この状態において、加湿フィルタ２４の下端部は接触部材２９と摺接しながら回転しているため、加湿フィルタ２４のフィルタ材３３の表面に付着しているスケールやごみなどは接触部材２９によって剥落され貯水部２７に落下して、貯水部２７の底部に設けた凹陥部２８の中に堆積する。
【００５２】
加湿トレー２３を本体１１に取り付けるために押し込むと、加湿フィルタ２４が逆方向に回転し、接触部材２９と同様に摺設しながら回転するため同様にスケールやごみなどは接触部材２９によって剥落される。
【００５３】
上記のように、水タンクの補充に際して加湿トレー２３の引き出しおよび押し込みの動作を行うことにより、加湿フィルタ２４の通常のメンテナンスを容易に行うことができる。
【００５４】
また、長期間使用した場合や、使用するシーズンが終了した場合は、加湿トレー２３を本体１１より取り外し、加湿フィルタ２４を貯水部２７から取り外して水洗いをすることによりフィルタ材の中に堆積したスケールやごみを取り除くとともに、貯水部２７の凹陥部２８に堆積した堆積物を廃棄することにより、温風機１０の性能を長期間に亘って維持することができる。
【００５５】
以上のように、本実施に形態の温風機１０は、加湿フィルタ２４と接触する接触部材２９を貯水部２７に備え、加湿フィルタ２４の回動軸３４に設けたピニオンギア３５と本体１１に設けたラック３７とを噛合させ、貯水部２７を引き出す取り外し動作と貯水部２７を押し込む取り付け動作を行うことにより、加湿フィルタ２４を回転させ、接触部材２９で加湿フィルタ２４の表面に付着したスケールやごみを剥落させることができるので、加湿フィルタ２４のメンテナンスは手を汚さずに簡単に実施することができる。
【００５６】
また、貯水部２７に凹陥部２８を設け、接触部材２９の基部に開口２９ａを設けたことにより、加湿フィルタ２４から剥落したスケールやごみは凹陥部２８の中に蓄積されるため、それらが加湿フィルタ２４に再付着することを抑制することができるとともに、開口２９ａを介して貯水部２７の水が自由に移動できるため貯水部２７の水位を安定させることができる。
【産業上の利用可能性】
【００５７】
以上のように、本発明に係る加湿装置は、加湿フィルタに付着したスケールの剥落が容易にでき、フィルタのメンテナンス性を向上させることができるので、フィルタを使用する送風機器等の用途にも適用できる。
【符号の説明】
【００５８】
１０  温風機
１１  本体
１２  操作部（操作手段）
１３  吸気口
１４  吹出口
１５  風路
１６  送風機
１７  ヒータ
１８  温風風路（風路）
２０  加湿風路（風路）
２１  ダンパ
２４  加湿フィルタ
２７  貯水部
２８  凹陥部
２９  接触部材
２９ａ  開口
３４  回転軸（回動機構）
３５  ピニオンギア（回動機構）
３７  ラック（回動機構）
【図７】
2012007745.tif 000003
【図１】
2012007745.tif 000004
【図２】
2012007745.tif 000005
【図３】
2012007745.tif 000006
【図４】
2012007745.tif 000007
【図５】
2012007745.tif 000008
【図６】
2012007745.tif 000009